(57)【要約】【課題】  身体の肌に良好で、しかも身体背面の凹部の洗浄に最適で、適度な刺激を与えてマッサージ効果を高めたボディウオッシュタオルの提供。【解決手段】  タオルの中央部分に大と小とから構成された天然の海綿を複数個封入し、タオルの両端に設けてある紐をタオルの幅方向端部に縫合し、なおかつ紐に結び目を設けてタオルの使用時における長手方向の長さを長短調節し、マッサージ効果を高めることを可能にしたボディウオッシュタオル。【選択図】図１
0003139837.tif 000002
【実用新案登録請求の範囲】
【請求項１】
二枚重ねで縫合されたタオルの長手方向の両端に、繊維で編んだ輪状の紐を縫合したようなボディウオッシュタオルに於いて、タオル生地（１）の長手方向の略中央部に海綿収納袋部（６）を形成し、海綿収納袋部（６）の両隣りには海綿収納袋部（６）よりも容積を小とした海綿収納袋部（７）とを各々独立して形成し、海綿収納袋部（６）内には海綿（３）を、海綿収納袋部（７）内には海綿（３）よりも容積を小とした海綿（４）を各々複数個を封入したことを特徴とするボディウオッシュタオル
【請求項２】
紐（２）はタオル生地（１）の両端の幅方向の端部において縫合した請求項１記載のボディウオッシュタオル
【請求項３】
紐（２）は輪状の大きさを可変可能とすべく結び目（９）を有する構造とした請求項１記載のボディウオッシュタオル
【考案の詳細な説明】
【技術分野】
【０００１】  本考案は、入浴時などにおいて身体を洗浄する際に使用するボディウオッシュタオルに関するものである。
【背景技術】
【０００２】  従来の浴用ボディウオッシュタオルは、綿を主とした繊維で織られたタオルや、綿と化学繊維の混紡で織られたタオルが主に使用されているが、その他にタオルの中央部分に石鹸やスポンジを封入した状態で取付けられたものがある。
【考案の開示】
【考案が解決しようとする課題】
【０００３】  背中を洗浄する際には、タオルを斜めになった状態でタオルを往復運動するのが通常であるが、身体の背中には左右にある肩胛骨に対して脊髄の部分は凹になっており、従来の綿又は化学繊維で出来たタオルは左右の肩胛骨部分には良く接触するが、脊髄部分は凹になっているためにタオルが十分に接触せず、十分に洗浄機能が作用していない。一方、上記したタオルの課題を解消するためにタオルの中央部分にスポンジを封入したタオルが考案されているが、この種のものは、スポンジが人間の肌にとって色素沈着の恐れがあり、ひいてはシミの原因になると言われている。といった課題がある。【０００４】  本考案は、天然素材である海綿をタオルの略中央位置に設けた袋に封入して背中の凹部の洗浄機能を向上させると供に、海綿という天然素材を使用することにより、従来の課題を解決しようとするものである。
【課題を解決するための手段】
【０００５】  本考案はタオル生地（１）の長手方向の略中央部分に海綿状収納袋部（６）を形成し、海綿状収納袋部（６）の両隣りには海綿状収納袋部（６）よりも容積を小とした海綿状収納袋部（７）とを各々独立して形成し、海綿状収納袋部（６）内には海綿（３）を、海綿状収納袋部（７）内には海綿（３）よりも容積を小とした海綿（４）を各々複数個を封入したものである。
紐（２）はタオル生地（１）の両端の幅方向の端部において縫合したものである。
紐（２）は輪状の大きさを可変可能とすべく結び目（９）を有する構造としたものである。
【考案の効果】
【０００６】  本考案によると、タオルの中央部に大と小との組み合わせによる海綿が封入されているので、従来では行い得なかった背中の凹部の洗浄が行い得るようになり、今迄には体験できないような変化に富んだ洗浄感が生まれる。【０００７】  天然に存在する海綿を使用しているので、肌に柔らかく接触し、この結果肌に優しく、肌を傷めることなく、快適な洗浄感が味わえる。又、両端の紐は結ぶ位置を調整することによって、使用する人の好みに応じてタオルの全体の長さを長めにしたり、反対に短めに設定できるというメリットがある。
【考案を実施するための最良の形態】
【０００８】  タオルの中央部にやや大きめな天然の海綿を複数個封入し、その両隣りにはやや小さめの天然の海綿を複数個封入し、タオルの両端に紐をタオルの端部に縫合し、かつ紐は端部を結べる構造にしてあるので、使用者の好みに応じてタオルの長さを調整できる。【０００９】  この結果、身体を洗浄する時、特に背中を洗浄する際にはタオルを斜めに当てがって摩擦するので、タオルの中央部のやや大きめな海綿は背中の凹部に心地よく当たるので、凹部のマッサージ効果と洗浄の効果が発揮される。
【実施例】
【００１０】以下、図面に従って本考案の実施例を説明する。
図１は本考案のボディウオッシュタオルの平面図を示し、二枚重ねで縫合したタオル生地（１）であり、タオル生地（１）の両端には、紐（２）がタオル生地（１）の幅方向の端部である縫合部（８）で縫合されている。【００１１】  紐（２）は結び目（９）を結ぶことによって輪状を形成し、この輪状の中に手を差し入れて指で紐（２）を掴んで背中などの洗浄に使用するものである。結び目（９）によって輪状の大きさを大としたり小としたりすることによって、ボディウオッシュタオル（１）の全体の長手方向の長さを使用する人の好みに合うように長短可能としてある。【００１２】  二枚重ねで縫合されたタオル生地（１）の長手方向中央部には、海綿Ａ収納袋部（６）を、又この海綿Ａ収納袋部（６）の両端部には海綿Ａ収納袋部（６）よりも容積がやや小さい海綿Ｂ収納袋部（７）を、縫合部（５）によって各々が独立した収納袋として形成し、各収納袋部（６）（７）には海綿が複数個づつ封入されており、海綿Ａ収納袋部（６）には海綿Ａ（３）よりもやや小さめな海綿Ｂ（４）が封入されている。各海綿（３）（４）を各収納袋部（６）（７）に封入後は、海綿がタオル生地（１）から脱落しないように封入口を適宜縫合してある。【００１３】  図２に示すように、海綿（３）（４）をタオル生地（１）に封入した状態は、海綿の高さ方向に対しては海綿Ａと海綿Ｂとでは高低の関係に、又長手方向に対しては海綿Ａと海綿Ｂとでは長短の関係に封入された関係にある。【００１４】図３において、本考案のタオルを用いて背中を洗浄するときの概略図を示し、タオル生地（１）の両端に縫合されている紐（２）の結び目（３）を、使用者の使い易さに応じて結ぶことにより、タオル全体の長手方向の長さ調整を行い、その後、輪状の紐（２）を手で保持して本タオルを背中にあてがって水平横方向や斜め方向に往復運動させると、図２に示したように、海綿Ａ（３）と海綿Ｂ（４）とは高低と長短の差がついているので海綿Ａは肩胛骨に対して凹となっている背中に接触し、一方海綿Ｂは背骨に対してやや凸となっている肩胛骨に接触するので、心地よい洗浄が可能となり、又タオルの往復運動のストロークを大きくすることによって背中と肩胛骨の交互に海綿Ａと海綿Ｂとが当たって洗浄できるので、強弱の変化に富んだ背中の洗浄が可能となる。【００１５】  タオル生地（１）に対し、紐（２）はタオルの幅方向の端部に於いて縫合してあるので、本タオルを背中にあてがった時に、紐（２）を保持する引張力によってタオルの幅は縮まることなくタオルの幅一杯になったままの状態で背中にあてがうことが可能であり、複数個海綿を封入したことによる洗浄効果が生まれてくる。
【産業上の利用可能性】
【００１６】  本考案のボディウオッシュタオルは、入浴時だけの使用に限ることなく、肌の鍛錬摩擦にも使用できることは勿論のこと、背中だけでなく身体全体の洗浄用に用いることが出来る。
【図面の簡単な説明】
【００１７】
【図１】本考案のタオルの平面図
【図２】図１のＡ−Ａ線断面拡大図
【図３】本考案のタオルを身体背面にあてがった状態の概略図
【符号の説明】
【００１８】  １  タオル生地
２  紐
３  海綿Ａ
４  海綿Ｂ
５  重ね縫合部
６  海綿Ａ収納袋部
７  海綿Ｂ収納袋部
８  縫合部
９  結び目
【図１】
0003139837.tif 000003
【図２】
0003139837.tif 000004
【図３】
0003139837.tif 000005